(57)【要約】 【課題】  着用者の圧迫感を回避しつつ、ウエストから下腹部にかけてのラインを飛躍的に綺麗に見せるウエストニッパを提供する。【解決手段】  前身頃と、後身頃と、左右の側面部とを備え胴回りに装着するウエストニッパにおいて、前身頃を伸縮性を有さない例えばナイロン製のサテン地で構成するとともに、その中央には縦方向に延在する芯材を設け、さらに前身頃の左右両端部に、縦方向であって下側が互いに離れた略ハの字型に延在するボーン部材を設けて、ウエストから下腹部にかけてのラインが綺麗に見えるようにする。また、後身頃および側面部においては、ウエストラインに沿って伸縮テープとダーツでなる絞りを形成して、特にウエストラインが綺麗に見えるようにする。【選択図】  図１
2006342447.tif 000002
【特許請求の範囲】
【請求項１】
前身頃と、後身頃と、左右の側面部とを備え胴回りに装着するウエストニッパにおいて、前記前身頃の左右両端部に、縦方向であって下側が互いに離れた略ハの字型に延在するボーン部材を備えることを特徴とするウエストニッパ。
【請求項２】
前身頃と、後身頃と、左右の側面部とを備え胴回りに装着するウエストニッパにおいて、前記前身頃の中央に縦方向に延在する芯材を備えることを特徴とするウエストニッパ。
【請求項３】
前身頃と、後身頃と、左右の側面部とを備え胴回りに装着するウエストニッパにおいて、前記後身頃および／または側面部が伸縮性を有する布材で構成されているとともに、前記前身頃が伸縮性を有さない布材で構成されていることを特徴とするウエストニッパ。
【請求項４】
請求項３に記載のウエストニッパにおいて、前記伸縮性を有さない布材は、シルク，ウール，綿，ポリエステル，レーヨンのいずれかでなるサテン布材あるいはトリコット布材であることを特徴とするウエストニッパ。
【請求項５】
請求項１乃至４のいずれかに記載のウエストニッパにおいて、前記後身頃および／または側面部が伸縮性を有する布材で構成されているとともに、当該布材の縦方向中間部に伸縮性素材でなる帯材が横方向に取り付けられていることを特徴とするウエストニッパ。
【請求項６】
請求項１乃至５のいずれかに記載のウエストニッパにおいて、縦方向の幅が１５乃至２０ｃｍの長さであることを特徴とするウエストニッパ。
【請求項７】
請求項１乃至６のいずれかに記載のウエストニッパにおいて、前記後身頃および／または側面部は、片側あるいは両側の側辺の中央が窪んだ１または２以上の布材を縫い合わせて構成されていることを特徴とするウエストニッパ。
【発明の詳細な説明】
【技術分野】
【０００１】
本発明は、女性が胴回りに装着し体型を綺麗に見せるためのウエストニッパに関する。
【背景技術】
【０００２】
従来より、特に女性の腰回りを美しく見せるために、腰の部分に装着して体型を補正する帯状のウエストニッパが用いられている（例えば、特許文献１）。ウエストニッパは一般に、前身頃と、後身頃と、左右の側面部とを備え、後身頃あるいは前身頃の中央部において分離可能であり、ここに設けられた複数のかぎホックで止着する構成となっている。近年のウエストニッパは伸縮性を有する素材、例えばナイロンとポリウレタンでなる布材を用いて、過度に締め付けることなくウエストが綺麗なラインを描くよう構成されている。また、ウエストニッパの縦方向には５本程度の弾性を有するボーン部材が設けられる。
【特許文献１】特開２００１−３０３３０７
【発明の開示】
【発明が解決しようとする課題】
【０００３】
従来のウエストニッパは、例えば特許文献１のように、前身頃の左右端部に設けられるボーン部材が縦方向であって互いに平行、あるいは上側が離れている略Ｖ字型に構成されている。しかしながらこの構成ではウエストから下腹部にかけての膨らみに対する締め付けがきつくなり、着用者が苦しくなるとともに、ウエストから下側のラインが綺麗に出ないという問題がある。
【０００４】
また、上述のようにウエストニッパ全体を伸縮性のある布材で構成すると、特に前身頃の部分において着用者の腹部を押さえきれずこの部分が出っ張って見えてしまう場合があり、ラインが綺麗に出ない場合があった。また、上記特許文献１のウエストニッパはバストの直ぐ下から下腹部まで縦方向に３０ｃｍ以上の幅を有し、着用者の圧迫感が相当なものであった。
【０００５】
本発明はこのような問題に鑑み、着用者の圧迫感を極力回避しつつ、特にウエストから下腹部にかけてのラインを綺麗に見せることのできるウエストニッパを提供することを目的とする。
【課題を解決するための手段】
【０００６】
上記目的を達成するために、本発明の第１の特徴は、前身頃と、後身頃と、左右の側面部とを備え胴回りに装着するウエストニッパにおいて、前記前身頃の左右両端部に、縦方向であって下側が互いに離れた略ハの字型に延在するボーン部材を設けたことにある。
【０００７】
また、本発明の第２の特徴は、前身頃と、後身頃と、左右の側面部とを備え胴回りに装着するウエストニッパにおいて、前記前身頃の中央に縦方向に延在する芯材を設けたことにある。
【０００８】
また、本発明の第３の特徴は、前身頃と、後身頃と、左右の側面部とを備え胴回りに装着するウエストニッパにおいて、前記後身頃および／または側面部が伸縮性を有する布材で構成されているとともに、前記前身頃が伸縮性を有さない布材で構成されていることにある。このウエストニッパにおいて、前記伸縮性を有さない布材はシルク，ウール，綿，ポリエステル，レーヨンのいずれかでなるサテン布材あるいはトリコット布材であることが望ましい。
【０００９】
好適な実施例では、前記後身頃および／または側面部が伸縮性を有する布材で構成されているとともに、当該布材の縦方向中間部に伸縮性素材でなる帯材が横方向に取り付けられている。
【００１０】
また、縦方向の幅が１５乃至２０ｃｍの長さであることが望ましい。
【００１１】
また、前記後身頃および／または側面部は、片側あるいは両側の側辺の中央が窪んだ１または２以上の布材を縫い合わせて構成されていることが望ましい。
【発明の効果】
【００１２】
本発明のウエストニッパは、前身頃の左右端縁に設けたボーン部材を略ハの字型としたため、ウエストから下腹部にかけてのラインを飛躍的に綺麗に見せることができる。また、前身頃を伸縮性のないサテン地またはトリコット地で構成するとともに、縦方向中央に芯材を設けて補強したため、着用時に腹部あるいはその一部が膨らむことがなく、特にお腹のラインが引き締まったような輪郭を出すことができる。
【００１３】
さらに、後身頃と側面部を伸縮性を有する布材で構成するとともに、当該布材の縦方向中間部に伸縮性素材でなる帯材を横方向に取り付けたため、特にウエストラインにニッパがぴったりフィットし、その上下に好適に膨らんだ湾曲輪郭が出現し、女性の体型を綺麗に見せることができる。また、ウエストニッパ１の上下の幅を約２０ｃｍ以下と比較的短く構成したため、過度に締め付けることを回避しつつ、ウエスト部分のラインを綺麗に見せることができる。
【００１４】
さらに、前記後身頃および／または側面部を、片側あるいは両側の側辺の中央が窪んだ１または２以上の布材を縫い合わせて構成したため、使用時のウエストニッパが綺麗な糸巻き型形状となり、女性のウエストを美しく見せることができる。
【発明を実施するための最良の形態】
【００１５】
本発明を実施するための最良の実施形態について、図面を参照しながら以下に詳細に説明する。
【実施例１】
【００１６】
図１は、本発明の実施例にかかるウエストニッパ１を展開した状態を表側から見た正面図であり、図２は当該ウエストニッパ１を裏側から見た部分背面図である。ウエストニッパ１は、帯状布材の両端部を連結可能に構成し、胴回りに装着してウエストラインを補正する下着の一種であり、大別すると前身頃１１と、後身頃１２と、左右の側面部１３とが一体的に構成されている。図１および図２に示すように、中央の前身頃１１の左右両側に側面部１３ａ，１３ｂが設けられ、さらにその両側に左右に分割された後身頃１２ａ，１２ｂが設けられる。後身頃１２ａ，１２ｂの外側端部には後述するように止着部１５が設けられ、これらの端部を環状に連結できるように構成されている。この止着部１５の部分以外は、ウエストニッパ１は左右対称に構成されている。
【００１７】
前身頃１１は強度のあるポリエステルのサテン地の表に、図示を省略する装飾目的のレース地を重ねて構成される。したがってこの前身頃１１は殆ど伸縮性を有さない。図２に示すように、前身頃１１の裏側には中央縦方向に延在する芯材１６が縫い付けられている。この芯材１６はスチールプレートをプラスチックで被覆した硬質の薄い板状部材を袋テープに入れ、さらにベルベットのリボンで覆い前身頃１１の裏側に縫い付けたものであり、これにより着用時に前身頃１１の一部が膨らんだりするのが防止される。さらに、前身頃１１の表側であって高さ方向の中央少し上の位置に、前身頃１１を横切って延在するナイロンの補強テープ１７が縫い付けられており、前身頃１１が横方向に伸びるのを防止している。補強テープ１７は同時に装飾効果も兼ねており、その両端部には同素材で装飾目的のリボンが形成されている。本実施例のウエストニッパ１では、このテープ１７の高さが装着者のウエストラインに重なるよう構成されている。
【００１８】
なお、前身頃１１を構成する伸縮性を有さない素材としては、ポリエステルのサテン地の他、シルク，ウール，綿，ポリエステル，レーヨンのいずれかでなるサテン布材あるいはトリコット布材を好適に用いることができる。
【００１９】
前身頃１１の左右の端縁にはそれぞれ縦方向にボーン部材１８ａ，１８ｂが設けられている。これらのボーン部材１８ａ，１８ｂは下になるにつれ互いに離れる略ハの字型に構成されている。これらのボーン部材１８は金属ワイヤを細かく巻いて板状に形成した公知のコイルボーンが用いられ、前記芯材１６と比較すると可撓性が高く、比較的柔軟に前後左右に撓ませることができる。
【００２０】
図１に示すように、後身頃１２ａの外側端縁には７段３列のフックアイ１５ａが設けられ、反対側の後身頃１２ｂの端縁裏側にはフックアイ１５ａに係合する７段１列の鍵フック（図示せず）が設けられている。着用時には、３列に設けられたフックアイ１５ａの適当な列を選択して鍵フックを係止させる。ここで選択するフックアイ１５ａの列により胴回りのサイズを調整できるようになっている。なお、止着部１５の構成はこの実施例のものに限らず、ウエストニッパが確実に装着され、横方向の引っ張り強度に耐え得るものであれば他の係止手段を用いることができる。
【００２１】
後身頃１２と側面部１３は、例えばナイロン６６％，ポリウレタン３４％でなり、通気性および伸縮性を有するメッシュ材で構成されている。側面部１３ａ，１３ｂの端縁および左右の後身頃１２ａ，１２ｂの中間部にはそれぞれボーン部材１９ａ，１９ｂ，２０ａ，２０ｂが設けられている。これらは前身頃１１の端縁のボーン部材１８と同じコイルボーンが用いられる。
【００２２】
図３は、後身頃１２と側面部１３を構成するメッシュ材を分解した状態を示す図である。本図に示すように、側面部１３ａと後身頃１２ａはそれぞれ、両側辺の中央が窪んだ糸巻き型の１または２以上のメッシュ材を、ボーン部材の部分でそれぞれ縫い合わせて構成されている。これにより、後身頃１２と側面部１３の中央部分に比べ上下の端縁部分の布材が少し余る状態となり、装着時にウエストニッパが自然に糸巻き型をなしウエストにフィットすることになる。さらに、図２に示すように側面部１３ａ，１３ｂの中央部には縦方向にダーツ２１ａ，２１ｂが設けられている。ダーツ２１は側面部１３を構成するメッシュ材を少したぐって縫い付けたものであり、ウエストニッパ１をこの部位でさらに少し絞ることにより、ウエストのくびれのラインがより美しく出るよう設けられている。なお、図３では側面部１３と後身頃１２を構成する１または２枚以上のメッシュ材の両側辺を窪ませて糸巻き型としているが、これは片側の側辺のみを窪ませたメッシュ材を用いてもよい。また、側面の中央を窪ませた糸巻き型にカットするのは側面部１３のみ、あるいは後身頃１２のみとしてもよい。
【００２３】
さらに図２に示すように、ウエストニッパ１の裏側には、後身頃１２と側面部１３に亘り横方向に延在する伸縮テープ２２が設けられる。この伸縮テープ２２は、ボーン部材１８，１９，２０およびダーツ２１の部分において後身頃１２と側面部１３を構成するメッシュ材に縫い合わされており、他の部分は対応する部分のメッシュ材より僅かに長さが短く浮いた状態となっている。伸縮テープ２２は、ウエストニッパ１の高さ方向中央より少し上に設定されるウエストラインに沿って設けられ、後身頃１２と側面部１３を構成するメッシュ部材より伸縮性の低い帯材、例えばナイロン８０％，ポリウレタン２０％のゴムベルトが用いられる。この伸縮テープ２２はダーツ２１と同様に、ウエストラインに沿ってウエストニッパ１を絞って体型を綺麗に出すために設けられている。
【００２４】
図１に示すように、ウエストニッパ１全体のラインは、前身頃１１の部分が最も幅広に構成され、側面部１３でやや狭幅となり、後身頃１２の部分で再び少し幅広く湾曲形成されている。特にウエストニッパ１の下端縁では、前身頃１１が比較的大きく下側に湾曲凸部を形成している。ウエストニッパの幅は１５−２０ｃｍ程度に構成され、本実施例のウエストニッパ１は最も幅広な前身頃１１で約１７．５ｃｍ、最も狭幅な側面部１３で約１６ｃｍ程度となっている。図２に示すように、ウエストニッパ１の上端縁および下端縁は、スパンテープ２５により端部処理が施されている。また、ウエストニッパ１の下端縁において、前身頃１１の左右端部近傍、および側面部１３の外側端縁近傍にはそれぞれガーター用のタグテープ２６が設けられており、ストッキングを吊るバンドをここに止着できるように構成されている。また、止着部１５ａの裏側等には薄いベルベットなどの起毛素材を設け、ウエストニッパ１の装着感を向上させている。
【００２５】
ウエストニッパ１の色は何ら限定するものではないが、例えば白、黒、赤、ベージュなどの着色素材を用いることができる。この場合、前身頃１１を構成するサテン地のみ他の色とすると、ウエストニッパ１の外観品質を向上させることができる。
【００２６】
このように構成されたウエストニッパ１は、胴体に廻してから両端部に設けられた止着部１５同士を係止させて装着する。前身頃１１の左右端縁に設けたボーン部材１８ａ，１８ｂが略ハの字型であるため、ウエストから下腹部にかけてのラインが綺麗に見える。また、前身頃１１を伸縮性のない布材で構成するとともに、縦方向中央に芯材１６を設け、さらに横方向にテープ１７を縫い合わせて補強しているため、着用時に腹部あるいはその一部が膨らんで見えることがなく、特にお腹のラインが引き締まった輪郭を出すことができる。さらに、後身頃１２と側面部１３を、両側辺を糸巻き型にカットした布材を縫い合わせて構成するとともに、横方向に延在する伸縮テープ２２を設け、さらに側面部１３にダーツ２１を設けているため、ウエストニッパ１が自然な糸巻き型をなし女性の腰にぴったりフィットし、女性の体型を綺麗に見せることができる。また、ウエストニッパ１の上下の幅を約２０ｃｍ以下と比較的短く構成したため、過度に締め付けることを回避しつつ、ウエスト部分のラインを綺麗に見せることができる。
【００２７】
以上、本発明の実施例について詳細に説明したが、本発明の技術的範囲は上記実施例に何ら限定されるものではなく、請求項の記載の意図する範囲を超えない限りにおいて、他の様々な変形例として実現することができる。特に、各部の寸法形状は、特許請求の範囲で限定した要素以外のものであれば何ら制限なく自由に設定することができる。また上述したように、止着部１５の構成は本実施例に限定されるものではなく、鍵フックやフックアイの段数，その間隔，列数などは実施環境に応じて適宜選択決定することができる。
【産業上の利用可能性】
【００２８】
本発明に係るウエストニッパは、特に女性の胴回りに装着してウエストを引き締め体型を綺麗に見せるものであり、繊維業界および下着製造業、美容業などで利用することができる。
【図面の簡単な説明】
【００２９】
【図１】ウエストニッパの実施例を展開した状態を示す正面図である。
【図２】図１に示すウエストニッパを裏側から見た部分背面図である。
【図３】図２に示すウエストニッパを構成する布材を分解した状態を示す図である。
【符号の説明】
【００３０】
１      ウエストニッパ
１１    前身頃
１２    後身頃
１３    側面部
１５    止着部
１６    芯材
１７    テープ
１８，１９，２０    ボーン部材
２１    ダーツ
２２    伸縮テープ
２５    スパンテープ
２６    タブテープ
【図１】
2006342447.tif 000003
【図２】
2006342447.tif 000004
【図３】
2006342447.tif 000005